(57)【特許請求の範囲】
【請求項１】
筐体と、
この筐体の一部を構成し、吸い込み口を有する化粧パネルと、
前記吸い込み口に臨むように設けられた熱交換器と、
この熱交換器の下流側に設けられた送風用ファンと、
前記熱交換器の下方に設けられ、結露水や洗浄剤を回収するドレンパンと、
前記熱交換器の両端部付近から前記吸い込み口側に立設され、前記化粧パネルと前記熱交換器との間の隙間を塞ぐように設けられたスプレー洗浄剤の拡散防止用の仕切り壁と、
を備えたことを特徴とする空気調和機。
【請求項２】
前記筐体内の熱交換器端部に前記熱交換器を固定する熱交換器固定部品を設け、この熱交換器固定部品に前記仕切り壁を設置したことを特徴とする請求項１記載の空気調和機。
【請求項３】
前記熱交換器固定部品と前記仕切り壁とを一体化したことを特徴とする請求項２記載の空気調和機。
【請求項４】
前記熱交換器の両端部に前記仕切り壁を直接固定したことを特徴とする請求項１記載の空気調和機。
【請求項５】
前記熱交換器端部の冷媒配管部から発生する結露水を回収するための配管カバーを設け、この配管カバーと前記仕切り壁とを一体化したことを特徴とする請求項１記載の空気調和機。
【請求項６】
前記化粧パネルからも別の仕切り壁を前記熱交換器側に立て、前記熱交換器の両端部から立設された仕切り壁と重なり合うようにしたことを特徴とする請求項１記載の空気調和機。
【請求項７】
前記仕切り壁の下部が、前記ドレンパン内部に導かれる形状としたことを特徴とする請求項１記載の空気調和機。
【請求項８】
前記仕切り壁の材質を耐洗浄剤としたことを特徴とする請求項１記載の空気調和機。
【発明の詳細な説明】
【０００１】
【発明の属する技術分野】
この発明は、市販の空気調和機熱交換器用スプレー洗浄剤による洗浄の際に、筐体を構成する非結晶プラスチック材料部品へ洗浄剤が飛散・付着し、クレージングによる亀裂・破断を生じることを防止する空気調和機に関するものである。
【０００２】
【従来の技術】
従来の壁掛け型空気調和機は、例えば外郭である化粧パネルに開口部を設けて吸い込み口とし、熱交換器を経てファンが空気を吸い込む。さらに熱交換器垂直下方向にドレンパンを配し、熱交換器で発生した結露水を回収する構造が一般的である。
【０００３】
図８は、例えば特開平１１−３３７１０５号公報に開示された空気調和機を示す図で、熱交換器を洗浄する機構を空気調和機自体に備えている。図に示すように、筐体ベース１に洗浄剤タンク１１と熱交換器洗浄用噴射ノズル９を内蔵し、かつ熱交換器２とファン１２の間に可動式の防滴カバーである仕切り壁６を配備する方式のものである。
【０００４】
洗浄剤タンク１１に洗浄剤を補給し、ガイド棒１０によって洗浄ノズル９を移動させ洗浄液を熱交換器２全面にスプレーし熱交換器２を洗浄する。空気調和機本体が洗浄機構を配備しているため洗浄範囲も設定・規制できる。また防滴カバーである仕切り壁６はファン１２への洗浄液拡散を防止するためだけものである。
【０００５】
【発明が解決しようとする課題】
特開平１１−３３７１０５号公報に開示された空気調和機は、熱交換器を洗浄する機構が空気調和機自体に備わっているものであり、ユーザー自身が市販品の熱交換器洗浄剤で、空気調和機を分解しないまま洗浄する場合には、熱交換器と吸い込み口である化粧パネルの隙間から空気調和機内部の部品に洗浄液が付着する恐れがある。
【０００６】
また、市販品のスプレー洗浄剤を噴射するのと同じように、従来例では噴射するための洗浄剤を洗浄タンクに補給する必要があるため、ユーザーの手間はそれほど変わらない。さらに自己洗浄機能を持たせるには洗浄剤タンク、噴射ノズル他、多くの構造部品・運転条件制御を空気調和機に内蔵することを考慮すると高価になるため、ユーザーに対するコストメリットが小さくなる。
【０００７】
この発明は、自己洗浄機能が付加されていない空気調和機をユーザーが市販の熱交換器洗浄剤を使用して熱交換器を洗浄する際、ユーザーが意図しないまま洗浄液をプラスチック部品等に飛散させてしまい、結果クレージングによるプラスチック部品に亀裂・破断を生じさせてしまうことを防止することを目的とする。さらにこの構造を最適な部品構成で筐体に組み込むことを目的とする。
【０００８】
【課題を解決するための手段】
この発明に係る空気調和機は、筐体と、この筐体の一部を構成し、吸い込み口を有する化粧パネルと、吸い込み口に臨むように設けられた熱交換器と、この熱交換器の下流側に設けられた送風用ファンと、熱交換器の下方に設けられ、結露水や洗浄剤を回収するドレンパンと、熱交換器の両端部付近から吸い込み口側に立設され、化粧パネルと熱交換器との間の隙間を塞ぐように設けられたスプレー洗浄剤の拡散防止用の仕切り壁と、を備えたものである。
【０００９】
また、筐体内の熱交換器端部に熱交換器を固定する熱交換器固定部品を設け、この熱交換器固定部品に仕切り壁を設置したものである。
【００１０】
また、熱交換器固定部品と仕切り壁とを一体化したものである。
【００１１】
また、熱交換器の両端部に仕切り壁を直接固定したものである。
【００１２】
また、熱交換器端部の冷媒配管部から発生する結露水を回収するための配管カバーを設け、この配管カバーと仕切り壁とを一体化したものである。
【００１３】
また、化粧パネルからも別の仕切り壁を記熱交換器側に立て、熱交換器の両端部から立設された仕切り壁と重なり合うようにしたものである。
【００１４】
また、仕切り壁の下部が、ドレンパン内部に導かれる形状としたものである。
【００１５】
また、仕切り壁の材質を耐洗浄剤としたものである。
【００１６】
【発明の実施の形態】
実施の形態１．
以下、この発明の実施の形態１を図面に基づいて説明する。
図１、２は実施の形態１を示す図で、図１は仕切り壁の配置を示した空気調和機の断面図、図２は化粧パネルを外した状態の仕切り壁配置を示す空気調和機の斜視図である。図において、１は室内機の樹脂製の筐体ベースであり、熱交換器固定部品３により熱交換器２を筐体ベース１に取り付ける。ドレンパン４は熱交換器２の垂直下方向に設置され結露水・洗浄剤を回収・排水する。化粧パネル５は外郭部に吸い込み口を有し、吸い込まれた空気は熱交換器２、熱交換器固定部品３によって形成される風路を順に通過し、ファン１２により吹き出し口１４より吹き出される。
【００１７】
洗浄剤による洗浄は、この化粧パネル５の吸い込み口１３よりスプレーする。化粧パネル５と熱交換器２の間に仕切り壁６となる部品を配置することにより、筐体ベース１他の内部構造部品に洗浄剤が飛散・付着しない構造となっている。
【００１８】
本体よりフィルタを取り除く以外分解しない状態で、市販の空気調和機熱交換器用スプレー洗浄剤塗布による筐体ベース１を構成するポリスチレン等のプラスチック部品への拡散を防止する措置として、図２に示すように熱交換器２の吸い込み側に両端に仕切り壁６を設置するものであり、化粧パネル５と熱交換器２間を塞ぐ事によりスプレー洗浄剤塗布により他部品に洗浄剤が付着しない構造となっている。
【００１９】
上述の実施の形態によれば、空気の吸い込み口を兼ねた化粧パネル５と熱交換器２の間に仕切り壁６となる部品を設置することで、市販の空気調和機熱交換器用スプレー洗浄剤塗布による筐体ベース１を構成するポリスチレン等のプラスチック部品への拡散を防止することが可能となり、安心して洗浄剤を使用することができる。
【００２０】
また、熱交換器２両端の熱交換器固定部品３から化粧パネル５と熱交換器２の間に仕切り壁６を立てることにより、筐体を分解せずユーザーが目視できる範囲すなわちスプレー洗浄剤が飛散する範囲を覆うことができる。つまり最小限の部品設置により最大限の効果をあげることができる。
【００２１】
実施の形態２．
以下、この発明の実施の形態２を図面に基づいて説明する。
図３は実施の形態２を示す図で、仕切り壁が熱交換器固定保持部品と一体化された空気調和機の斜視図である。図に示すように、仕切り壁６を熱交換器固定部品３と一体化したことにより、実施の形態１よりも部品点数が少ない構造となっている。
【００２２】
このように、吸い込み口両端の熱交換器固定部品３とスプレー洗浄剤の拡散防止用の仕切り壁６となる部品を一体化させることで部品数が従来とかわらず、また組み立て行程数も従来と変わらないためコストメリットが大きくなる。
【００２３】
実施の形態３．
以下、この発明の実施の形態３を図面に基づいて説明する。
図４は実施の形態３を示す図で、熱交換器配管に仕切り壁を固定した空気調和機の斜視図である。図に示すように、仕切り壁６が熱交換器２に直接固定されているので、洗浄スプレーの飛散範囲をより確実に規制できる構造となっている。
【００２４】
スプレー洗浄剤の拡散防止用の仕切り壁６を、熱交換器２の両端に直接固定することにより上述の実施の形態と同様な効果を得ることが可能である。また、別部品とすることで着色し、ユーザーに洗浄範囲を容易に確認させ易くできる。
【００２５】
実施の形態４．
以下、この発明の実施の形態４を図面に基づいて説明する。
図５は実施の形態４を示す図で、配管のカバーと仕切り壁が一体となった構造を示す空気調和機の斜視図である。図に示すように、熱交換器２を室外機と接続するための配管７から発生する結露水をドレンパン４に回収するための配管７のカバー８と仕切り壁６が一体となった構造であり、実施の形態１に対し部品点数が少ない構造となっている。
【００２６】
スプレー洗浄剤の拡散防止用の仕切り壁６を、熱交換器端部の冷媒配管部から発生する結露水を回収するための配管７のカバー８と一体とすることにより、部品数が従来とかわらず、また組み立て行程数も従来と変わらないためコストメリットが大きくなる。
【００２７】
実施の形態５．
以下、この発明の実施の形態５を図面に基づいて説明する。
図６は実施の形態５を示す図で、空気調和機の断面図である。図に示すように、化粧パネル５にも仕切り壁５ａを設け、仕切り壁６と互い違いになるように構成すると共に、オーバーラップ代を設けることにより遮蔽度を高め、他部品に洗浄剤が塗布されない構造となっている。
【００２８】
スプレー洗浄剤の拡散防止用の仕切り壁６と、これと互い違いに化粧パネル５の吸い込み口両端部からも仕切り壁５ａを立てることにより仕切りの密閉度が高くなり、洗浄剤の飛散をさらに規制・防止できる。さらに必要であればゴム系・シリコン系のシール剤と併用することにより完全密閉を実現することが可能となる。
【００２９】
実施の形態６．
以下、この発明の実施の形態６を図面に基づいて説明する。
図７は実施の形態６を示す図で、空気調和機の断面図である。図に示すように、仕切り壁６の下端がドレンパン４に導かれる形状となっているため、仕切り壁６に付着した洗浄剤はドレンパン４で回収され、排出される構造となっている。
【００３０】
スプレー洗浄剤の拡散防止用の仕切り壁６をドレンパン４に対し、集約・ガイド形状にすることにより、飛散した洗浄液をドレンパン４に回収することができる。
【００３１】
上述の各実施の形態における仕切り壁６は、クレージング等の洗浄剤からの攻撃を受けない、若しくは受けにくい材料、例えばＡＢＳ・ＰＰ等の結晶性樹脂、鋼材を採用することにより、亀裂・破断がなく製品寿命が終わるまで遮蔽壁としての機能を保つことができる。
【００３２】
【発明の効果】
この発明に係る空気調和機は、熱交換器の両端部付近から吸い込み口側に立設され、化粧パネルと熱交換器との間の隙間を塞ぐように設けられたスプレー洗浄剤の拡散防止用の仕切り壁を設けたことにより、自己洗浄機能が付加されていない空気調和機をユーザーが洗浄する場合、特に市販の熱交換器洗浄剤を使用して熱交換器を洗浄する時に、ユーザーが意図しないまま洗浄液をプラスチック部品等に飛散させてしまい、その結果クレージングによるプラスチック部品に亀裂・破断を生じさせ、空気調和機を故障させてしまうことを防止し、ユーザー本位に空気調和機を清掃・洗浄が可能であるという効果がある。
また、熱交換器両端部付近に仕切り壁を設置することで熱交換器全幅の洗浄が可能である。また仕切りがあることでユーザーに対し洗浄範囲が明確になる。
【００３３】
また、熱交換器固定部品と仕切り壁とを一体化したことにより、熱交換器固定部品と仕切り壁を一体とし部品点数を増やすことなく、洗浄剤遮蔽効果を得ることが出来る。
【００３４】
また、熱交換器の両端部に仕切り壁を直接固定したことにより、洗浄スプレーの飛散範囲をより確実に規制できる。
【００３５】
また、熱交換器端部の冷媒配管部から発生する結露水を回収するための配管カバーを設け、この配管カバーと仕切り壁とを一体化したことにより、部品点数を増やすことなく、洗浄剤遮蔽効果を得ることが出来る。
【００３６】
また、化粧パネルからも別の仕切り壁を記熱交換器側に立て、熱交換器の両端部から立設された仕切り壁と重なり合うようにしたことにより、更に洗浄剤の遮蔽がされる。
【００３７】
また、仕切り壁の下部が、ドレンパン内部に導かれる形状としたことにより、飛散した洗浄液をドレンパンに回収することができる。
【００３８】
また、仕切り壁の材質を耐洗浄剤とすることでクレージングによる破断を防ぎ、製品の寿命が洗浄剤によって短くなることを抑制する。
【図面の簡単な説明】
【図１】  実施の形態１を示す図で、仕切り壁の配置を示した空気調和機の断面図である。
【図２】  実施の形態１を示す図で、化粧パネルを外した状態の仕切り壁配置を示す空気調和機の斜視図である。
【図３】  実施の形態２を示す図で、仕切り壁が熱交換器固定保持部品と一体化された空気調和機の斜視図である。
【図４】  実施の形態３を示す図で、熱交換器配管に仕切り壁を固定した空気調和機の斜視図である。
【図５】  実施の形態４を示す図で、配管のカバーと仕切り壁が一体となった構造を示す空気調和機の斜視図である。
【図６】  実施の形態５を示す図で、空気調和機の断面図である。
【図７】  実施の形態６を示す図で、空気調和機の断面図である。
【図８】  従来の空気調和機の斜視図である。
【符号の説明】
１  筐体ベース、２  熱交換器、３  熱交換器固定部品、４  ドレンパン、５化粧パネル、５ａ  仕切り壁、６  仕切り壁、７  配管、８  配管カバー、１２  ファン、１３  吸い込み口、１４  吹き出し口。
【図１】
0004344077.tif 000002
【図２】
0004344077.tif 000003
【図３】
0004344077.tif 000004
【図４】
0004344077.tif 000005
【図５】
0004344077.tif 000006
【図６】
0004344077.tif 000007
【図７】
0004344077.tif 000008
【図８】
0004344077.tif 000009